(57)【特許請求の範囲】
【請求項１】
携帯端末と、これが認識できる信号を無線通信で送信する認識信号送信装置と、前記認識信号の受信状況による機能の制御を行う制御エリアについて、動作可とする機能を判定するための情報を前記携帯端末に発信する制御エリア情報発信装置とを含み、
前記制御エリア情報発信装置は、制御エリアの最大値、そのエリアに適用する一つ以上の概要動作フラグ値、各フラグ値に対応したエリア中心からの距離情報が定義された制御エリア情報の格納部と、これより制御エリア情報を読み出し送信する手段を有し、
前記携帯端末は、前記認識信号送信装置から受信する認識信号の受信状況を管理する手段と、
各概要動作フラグ値とそれらに対応した携帯端末の各機能の設定情報を格納する設定情報格納部と、
前記制御エリア情報発信装置から制御エリア情報を受信し、前記最大値、前記一つ以上の概要動作フラグ値、前記距離情報とを抽出し、概要動作フラグ値に対応する設定情報を設定情報格納部より読み出し、これらを判定テーブル情報として保持する手段と、
前記判定テーブル情報の更新、認識信号受信状況の変化の何れかを検出すると、受信状況を判定テーブル情報の前記最大値、各フラグ値の距離情報と比較し、該当する概要動作フラグ値を判定し、これが適用中のフラグ値と異なれば判定したフラグ値対応の設定情報を用い携帯端末の各機能を設定する手段とを有することを特徴とする端末自動設定システム。
【請求項２】
携帯端末と、これが認識できる信号を無線通信で送信する認識信号送信装置と、前記認識信号の受信状況による機能の制御を行う制御エリアについて、動作可とする機能を判定するための情報を無線通信で前記携帯端末に発信する制御エリア情報発信装置とを含み、
前記制御エリア情報発信装置は、制御エリアの最大値、そのエリアに適用する一つ以上の概要動作フラグ値、各フラグ値に対応したエリア中心からの距離情報が定義された制御エリア情報の格納部と、これより制御エリア情報を読み出し送信する手段を有し、
前記携帯端末は、前記認識信号送信装置から自装置のＩＤに一致する信号を受信しているかどうかと、その受信電波の強度から割り出された距離情報とを受信状況として管理する認識信号受信手段と、
各概要動作フラグ値とそれらに対応した携帯端末の各機能の設定情報を格納した設定情報格納部と、
前記制御エリア情報発信装置から制御エリア情報を受信し前記最大値、前記一つ以上の概要動作フラグ値、前記距離情報とを抽出し、概要動作フラグ値に対応する設定情報を設定情報格納部より読み出し、これらを判定テーブル情報として保持する判定内容受信手段と、
前記判定テーブル情報、及び前記認識信号の受信状況を周期的にチェックし、更新や変化を検出すると、前記受信状況を判定テーブル情報の前記最大値、各フラグ値の距離情報と比較し、該当する概要動作フラグ値を判定し、適用中のフラグ値と異なれば判定したフラグ値対応の設定情報を用い携帯端末の各機能を設定する端末機能制御手段とを有することを特徴とする端末自動設定システム。
【請求項３】
携帯端末と、これが認識できる信号を無線通信で送信する認識信号送信装置と、前記認識信号の受信状況による機能の制御を行う制御エリアについて、動作可とする機能を判定するための情報を無線通信で前記携帯端末に発信する制御装置とを含み、
前記制御装置は、制御装置識別情報を送信する手段を有し、
前記携帯端末は、前記認識信号送信装置から自装置のＩＤに一致する信号を受信しているかどうかと、その受信電波の強度から割り出された距離情報とを受信状況として管理する認識信号受信手段と、
制御エリアの最大値と、制御エリアに適用する一つ以上の概要動作フラグ値と各フラグ値の適用条件としてのエリア中心からの距離情報と各フラグ値対応の機能設定情報からなる判定テーブル情報が制御装置識別情報に対応づけられて複数格納された判定テーブル一覧格納部と、
前記制御装置から制御装置識別情報を受信し、これに対応づけられた最大値と、判定テーブル情報とを判定テーブル一覧格納部より読み出し、これらをカレント判定テーブル情報として保持する判定内容受信手段と、
前記カレント判定テーブル情報、及び前記認識信号の受信状況を周期的にチェックし、更新や変化を検出すると、前記受信状況をカレント判定テーブル情報の前記最大値、各フラグ値の距離情報と比較し、該当する概要動作フラグ値を判定し、適用中のフラグ値と異なれば判定したフラグ値対応の設定情報を用い携帯端末の各機能を設定する端末機能制御手段とを有することを特徴とする端末自動設定システム。
【請求項４】
携帯端末と、これが認識できる信号を無線通信で送信する認識信号送信装置と、前記認識信号の受信状況による機能の制御を行う制御エリアについて、動作可とする機能を判定するための情報を無線ネットワークを含むネットワークを通じ前記携帯端末に送信するサーバ装置とを含み、
前記サーバ装置は、制御エリアの最大値、そのエリアに適用する一つ以上の概要動作フラグ値、各フラグ値に対応したエリア中心からの距離情報が定義された制御エリア情報が複数格納された制御エリア情報格納部と、位置情報とこれに対応した、前記格納された制御エリア情報の識別を格納した決定用データ格納部と、前記携帯端末より制御エリア情報要求を受信すると、要求に付加された現在位置情報で決定用データ格納部を参照し、対応の制御エリア情報送信の有無、送信する制御エリア情報を決定し応答する手段を有し、前記携帯端末は、前記認識信号送信装置から自装置のＩＤに一致する信号を受信しているかどうかと、その受信電波の強度から割り出された距離情報とを受信状況として管理する認識信号受信手段と、
各概要動作フラグ値とそれらに対応した携帯端末の各機能の設定情報を格納した設定情報格納部と、
広域における現在位置を検知する位置情報検知手段と、
前記サーバ装置に、現在位置情報を付加して制御エリア情報要求を送信し、サーバ装置から制御エリア情報を受信し、前記最大値、前記一つ以上の概要動作フラグ値、前記距離情報とを抽出し、概要動作フラグ値に対応する設定情報を設定情報格納部より読み出し、これらを判定テーブル情報として保持する判定内容受信手段と、
前記判定テーブル情報、及び前記認識信号の受信状況を周期的にチェックし、更新や変化を検出すると、前記受信状況を判定テーブル情報の前記最大値、各フラグ値の距離情報と比較し、該当する概要動作フラグ値を判定し、適用中のフラグ値と異なれば判定したフラグ値対応の設定情報を用い携帯端末の各機能を設定する端末機能制御手段とを有することを特徴とする端末自動設定システム。
【請求項５】
携帯端末と、これが認識できる信号を無線通信で送信する認識信号送信装置と、前記認識信号の受信状況による機能の制御を行う制御エリアについて、動作可とする機能を判定するための情報を無線ネットワークを含むネットワークを通じ前記携帯端末に送信するサーバ装置とを含み、
前記サーバ装置は、制御エリアの最大値、そのエリアに適用する一つ以上の概要動作フラグ値、各フラグ値に対応したエリア中心からの距離情報が定義された制御エリア情報が複数格納された制御エリア情報格納部と、前記携帯端末より制御エリア情報要求を受信すると、要求に付加された光量情報に応じて、制御エリア情報送信の有無、送信する制御エリア情報を決定し応答する手段を有し、
前記携帯端末は、前記認識信号送信装置から自装置のＩＤに一致する信号を受信しているかどうかと、その受信電波の強度から割り出された距離情報とを受信状況として管理する認識信号受信手段と、
各概要動作フラグ値とそれらに対応した携帯端末の各機能の設定情報を格納した設定情報格納部と、
外部の光量をモニタする光センサーと、
前記サーバ装置に、光量情報を付加して制御エリア情報要求を送信し、サーバ装置から制御エリア情報を受信し、前記最大値、前記一つ以上の概要動作フラグ値、前記距離情報とを抽出し、概要動作フラグ値に対応する設定情報を設定情報格納部より読み出し、これらを判定テーブル情報として保持する判定内容受信手段と、
前記判定テーブル情報、及び前記認識信号の受信状況を周期的にチェックし、更新や変化を検出すると、前記受信状況を判定テーブル情報の前記最大値、各フラグ値の距離情報と比較し、該当する概要動作フラグ値を判定し、適用中のフラグ値と異なれば判定したフラグ値対応の設定情報を用い携帯端末の各機能を設定する端末機能制御手段とを有することを特徴とする端末自動設定システム。
【請求項６】
携帯端末と、これが認識できる信号を無線通信で送信する認識信号送信装置と、前記認識信号の受信状況による機能の制御を行う制御エリアについて、動作可とする機能を判定するための情報を無線ネットワークを含むネットワークを通じ前記携帯端末に送信するサーバ装置とを含み、
前記サーバ装置は、制御エリアの最大値、そのエリアに適用する一つ以上の概要動作フラグ値、各フラグ値に対応したエリア中心からの距離情報が定義された制御エリア情報が複数格納された制御エリア情報格納部と、前記携帯端末より制御エリア情報要求を受信すると、要求に付加された温度情報に応じて、制御エリア情報送信の有無、送信する制御エリア情報を決定し応答する手段を有し、
前記携帯端末は、前記認識信号送信装置から自装置のＩＤに一致する信号を受信しているかどうかと、その受信電波の強度から割り出された距離情報とを受信状況として管理する認識信号受信手段と、
各概要動作フラグ値とそれらに対応した携帯端末の各機能の設定情報を格納した設定情報格納部と、
外部の温度をモニタする温度センサーと
前記サーバ装置に、温度情報を付加して制御エリア情報要求を送信し、サーバ装置から制御エリア情報を受信し、前記最大値、前記一つ以上の概要動作フラグ値、前記距離情報とを抽出し、概要動作フラグ値に対応する設定情報を設定情報格納部より読み出し、これらを判定テーブル情報として保持する判定内容受信手段と、
前記判定テーブル情報、及び前記認識信号の受信状況を周期的にチェックし、更新や変化を検出すると、前記受信状況を判定テーブル情報の前記最大値、各フラグ値の距離情報と比較し、該当する概要動作フラグ値を判定し、適用中のフラグ値と異なれば判定したフラグ値対応の設定情報を用い携帯端末の各機能を設定する端末機能制御手段とを有することを特徴とする端末自動設定システム。
【請求項７】
前記設定する各機能に、発信機能、着信機能、着信音機能、着信時バイブレーション機能、着信時自動応答機能を含む電話機能を含むことを特徴とする請求項１乃至６の何れかに記載の端末自動設定システム。
【請求項８】
前記設定する各機能に、ＰＩＭデータアクセス機能を含むことを特徴とする請求項１乃至６の何れかに記載の端末自動設定システム。
【請求項９】
前記概要動作フラグの値をＰＥＲＳＯＮＡＬ、ＭＩＤＤＬＥ−ＲＡＮＧＥ、ＣＨＡＲＧＩＮＧ、ＤＲＩＶＩＮＧ、ＨＯＳＰＩＴＡＬ、及び範囲外の内の何れかの値とし、範囲内の制御エリアに適用する一つ以上の概要動作フラグ値を、ＰＥＲＳＯＮＡＬ、ＭＩＤＤＬＥ−ＲＡＮＧＥ、ＣＨＡＲＧＩＮＧ／ＤＲＩＶＩＮＧ／ＨＯＳＰＩＴＡＬの何れかの値とし、エリア内の各距離レベルごとに概要動作フラグ値をＰＥＲＳＯＮＡＬ、ＭＩＤＤＬＥ−ＲＡＮＧＥ、ＣＨＡＲＧＩＮＧとし、フラグ値に応じ着信音機能、着信時バイブレーション機能、着信時自動応答機能を変化させることを特徴とする請求項７に記載の端末自動設定システム。
【請求項１０】
前記概要動作フラグの値をＰＥＲＳＯＮＡＬ、ＭＩＤＤＬＥ−ＲＡＮＧＥ、ＣＨＡＲＧＩＮＧ、ＤＲＩＶＩＮＧ、ＨＯＳＰＩＴＡＬ、及び範囲外の内の何れかの値とし、範囲内の制御エリアに適用する一つ以上の概要動作フラグ値を、ＰＥＲＳＯＮＡＬ、ＭＩＤＤＬＥ−ＲＡＮＧＥ、ＣＨＡＲＧＩＮＧ／ＤＲＩＶＩＮＧ／ＨＯＳＰＩＴＡＬの何れかの値とし、エリア内の各距離レベルごとに概要動作フラグ値をＰＥＲＳＯＮＡＬ、ＭＩＤＤＬＥ−ＲＡＮＧＥ、ＣＨＡＲＧＩＮＧとし、フラグ値がＰＥＲＳＯＮＡＬ以外であればＰＩＭデータアクセス機能がオフに設定されることを特徴とする請求項８に記載の端末自動設定システム。
【請求項１１】
携帯端末と、当該携帯端末が受信可能な無線信号である認識信号を発信する認識信号送信装置と、前記認識信号の受信状況に応じて前記携帯端末が変更すべき制御内容を示した制御エリア情報を発信する制御エリア情報発信装置とを備え、前記認識信号および前記制御エリア情報に基づいて前記携帯端末が自端末の制御内容を決定する端末自動設定システムにおける制御エリア情報発信装置において、
前記制御エリア情報を格納する格納部と、
前記携帯端末とのリンク状態が変化する毎に前記制御エリア情報を前記格納部から読み出し送信する手段と、を備え、
前記制御エリア情報は、前記携帯端末の機能の制御を行う制御エリアの中心からの距離情報と各距離情報に対して設定され一つ以上の前記携帯端末での機能を設定するための概要動作フラグ値とを含むことを特徴とする制御エリア情報発信装置。
【請求項１２】
携帯端末と、当該携帯端末が受信可能な無線信号である認識信号を発信する認識信号送信装置と、前記認識信号の受信状況に応じて前記携帯端末が変更すべき制御内容を示した制御エリア情報を発信するサーバとを備え、前記認識信号および前記制御エリア情報に基づいて前記携帯端末が自端末の制御内容を決定する端末自動設定システムにおけるサーバにおいて、
複数の前記制御エリア情報が格納された制御エリア情報格納部と、
光量情報と当該光量情報に対応づけられた前記制御エリア情報とが格納された決定用データ格納部と、
前記携帯端末より制御エリア情報要求を受信すると、当該制御エリア情報要求に付加された光量情報に基づいて前記決定用データ格納部を参照し、送信すべき前記制御エリア情報を決定し応答する手段と、を備え、
前記制御エリア情報は、前記携帯端末の機能の制御を行う制御エリアの中心からの距離情報と各距離情報に対して設定され一つ以上の前記携帯端末での機能を設定するための概要動作フラグ値とを含むことを特徴とすることを特徴とするサーバ。
【請求項１３】
携帯端末と、当該携帯端末が受信可能な無線信号である認識信号を発信する認識信号送信装置と、前記認識信号の受信状況に応じて前記携帯端末が変更すべき制御内容を示した制御エリア情報を発信するサーバとを備え、前記認識信号および前記制御エリア情報に基づいて前記携帯端末が自端末の制御内容を決定する端末自動設定システムにおけるサーバにおいて、
複数の前記制御エリア情報が格納された制御エリア情報格納部と、
温度情報と当該温度情報に対応づけられた前記制御エリア情報とが格納された決定用データ格納部と、
前記携帯端末より制御エリア情報要求を受信すると、当該制御エリア情報要求に付加された温度情報に基づいて前記決定用データ格納部を参照し、送信すべき前記制御エリア情報を決定し応答する手段と、を備え、
前記制御エリア情報は、前記携帯端末の機能の制御を行う制御エリアの中心からの距離情報と各距離情報に対して設定され一つ以上の前記携帯端末での機能を設定するための概要動作フラグ値とを含むことを特徴とすることを特徴とするサーバ。
【請求項１４】
認識信号送信装置から自装置のＩＤに一致する信号を受信しているかどうかと、その受信電波の強度から割り出された距離情報とを受信状況として管理する認識信号受信手段と、各概要動作フラグ値とそれらに対応した自装置の各機能の設定情報を格納した設定情報格納部と、
制御エリア情報発信装置から制御エリア情報を受信し、制御エリアの最大値、そのエリアに適用する一つ以上の概要動作フラグ値、各フラグ値に対応したエリア中心からの距離情報を抽出し、前記概要動作フラグ値に対応する設定情報を設定情報格納部より読み出し、これらを判定テーブル情報として保持する判定内容受信手段と、
前記判定テーブル情報、及び前記認識信号の受信状況を周期的にチェックし、更新や変化を検出すると、前記受信状況を判定テーブル情報の前記最大値、各フラグ値の距離情報と比較し、該当する概要動作フラグ値を判定し、適用中のフラグ値と異なれば判定したフラグ値対応の設定情報を用い自装置の各機能を設定する端末機能制御手段とを有することを特徴とする携帯端末装置。
【請求項１５】
認識信号送信装置から自装置のＩＤに一致する信号を受信しているかどうかと、その受信電波の強度から割り出された距離情報とを受信状況として管理する認識信号受信手段と、
制御エリアの最大値と、制御エリアに適用する一つ以上の概要動作フラグ値と各フラグ値の適用条件としてのエリア中心からの距離情報と各フラグ値対応の機能設定情報からなる判定テーブル情報が制御装置識別情報に対応づけられて複数格納された判定テーブル一覧格納部と、
制御装置から制御装置識別情報を受信し、これに対応づけられた、最大値と判定テーブル情報とを判定テーブル一覧格納部より読み出し、これらをカレント判定テーブル情報として保持する判定内容受信手段と、
前記カレント判定テーブル情報、及び前記認識信号の受信状況を周期的にチェックし、更新や変化を検出すると、前記受信状況をカレント判定テーブル情報の前記最大値、各フラグ値の距離情報と比較し、該当する概要動作フラグ値を判定し、適用中のフラグ値と異なれば判定したフラグ値対応の設定情報を用い自装置の各機能を設定する端末機能制御手段とを有することを特徴とする携帯端末装置。
【請求項１６】
認識信号送信装置から自装置のＩＤに一致する信号を受信しているかどうかと、その受信電波の強度から割り出された距離情報とを受信状況として管理する認識信号受信手段と、各概要動作フラグ値とそれらに対応した自装置の各機能の設定情報を格納した設定情報格納部と、
広域における現在位置を検知する位置情報検知手段と、
サーバ装置に、現在位置情報を付加して制御エリア情報要求を送信し、サーバ装置から制御エリア情報を受信し、制御エリアの最大値、そのエリアに適用する一つ以上の概要動作フラグ値、各フラグ値に対応したエリア中心からの距離情報とを抽出し、前記概要動作フラグ値に対応する設定情報を設定情報格納部より読み出し、これらを判定テーブル情報として保持する判定内容受信手段と、
前記判定テーブル情報、及び前記認識信号の受信状況を周期的にチェックし、更新や変化を検出すると、前記受信状況を判定テーブル情報の前記最大値、各フラグ値の距離情報と比較し、該当する概要動作フラグ値を判定し、適用中のフラグ値と異なれば判定したフラグ値対応の設定情報を用い自装置の各機能を設定する端末機能制御手段とを有することを特徴とする携帯端末装置。
【請求項１７】
認識信号送信装置から自装置のＩＤに一致する信号を受信しているかどうかと、その受信電波の強度から割り出された距離情報とを受信状況として管理する認識信号受信手段と、
各概要動作フラグ値とそれらに対応した自装置の各機能の設定情報を格納した設定情報格納部と、
外部の光量をモニタする光センサーと、
サーバ装置に、光量情報を付加して制御エリア情報要求を送信し、サーバ装置から制御エリア情報を受信し、制御エリアの最大値、そのエリアに適用する一つ以上の概要動作フラグ値、各フラグ値に対応したエリア中心からの距離情報とを抽出し、前記概要動作フラグ値に対応する設定情報を設定情報格納部より読み出し、これらを判定テーブル情報として保持する判定内容受信手段と、
前記判定テーブル情報、及び前記認識信号の受信状況を周期的にチェックし、更新や変化を検出すると、前記受信状況を判定テーブル情報の前記最大値、各フラグ値の距離情報と比較し、該当する概要動作フラグ値を判定し、適用中のフラグ値と異なれば判定したフラグ値対応の設定情報を用い自装置の各機能を設定する端末機能制御手段とを有することを特徴とする携帯端末装置。
【請求項１８】
認識信号送信装置から自装置のＩＤに一致する信号を受信しているかどうかと、その受信電波の強度から割り出された距離情報とを受信状況として管理する認識信号受信手段と、
各概要動作フラグ値とそれらに対応した自装置の各機能の設定情報を格納した設定情報格納部と、
外部の温度をモニタする温度センサーと、
サーバ装置に、温度情報を付加して制御エリア情報要求を送信し、サーバ装置から制御エリア情報を受信し、制御エリアの最大値、そのエリアに適用する一つ以上の概要動作フラグ値、各フラグ値に対応したエリア中心からの距離情報とを抽出し、前記概要動作フラグ値に対応する設定情報を設定情報格納部より読み出し、これらを判定テーブル情報として保持する判定内容受信手段と、
前記判定テーブル情報、及び前記認識信号の受信状況を周期的にチェックし、更新や変化を検出すると、前記受信状況を判定テーブル情報の前記最大値、各フラグ値の距離情報と比較し、該当する概要動作フラグ値を判定し、適用中のフラグ値と異なれば判定したフラグ値対応の設定情報を用い自装置の各機能を設定する端末機能制御手段とを有することを特徴とする携帯端末装置。
【請求項１９】
各概要動作フラグ値とそれらに対応した自装置の各機能の設定情報を格納した設定情報格納部を有する携帯端末装置を、
認識信号送信装置から自装置のＩＤに一致する信号を受信しているかどうかと、その受信電波の強度から割り出された距離情報とを受信状況として管理する認識信号受信手段と、
制御エリア情報発信装置から制御エリア情報を受信し、制御エリアの最大値、そのエリアに適用する一つ以上の概要動作フラグ値、各フラグ値に対応したエリア中心からの距離情報を抽出し、前記概要動作フラグ値に対応する設定情報を設定情報格納部より読み出し、これらを判定テーブル情報として保持する判定内容受信手段と、
前記判定テーブル情報、及び前記認識信号の受信状況を周期的にチェックし、更新や変化を検出すると、前記受信状況を判定テーブル情報の前記最大値、各フラグ値の距離情報と比較し、該当する概要動作フラグ値を判定し、適用中のフラグ値と異なれば判定したフラグ値対応の設定情報を用い自装置の各機能を設定する端末機能制御手段として機能させるためのプログラム。
【請求項２０】
制御エリアの最大値と、制御エリアに適用する一つ以上の概要動作フラグ値と各フラグ値の適用条件としてのエリア中心からの距離情報と各フラグ値対応の機能設定情報からなる判定テーブル情報が制御装置識別情報に対応づけられて複数格納された判定テーブル一覧格納部を有する携帯端末装置を、
認識信号送信装置から自装置のＩＤに一致する信号を受信しているかどうかと、その受信電波の強度から割り出された距離情報とを受信状況として管理する認識信号受信手段と、制御装置から制御装置識別情報を受信し、これに対応づけられた、最大値と判定テーブル情報とを判定テーブル一覧格納部より読み出し、これらをカレント判定テーブル情報として保持する判定内容受信手段と、
前記カレント判定テーブル情報、及び前記認識信号の受信状況を周期的にチェックし、更新や変化を検出すると、前記受信状況をカレント判定テーブル情報の前記最大値、各フラグ値の距離情報と比較し、該当する概要動作フラグ値を判定し、適用中のフラグ値と異なれば判定したフラグ値対応の設定情報を用い自装置の各機能を設定する端末機能制御手段として機能させるためのプログラム。
【請求項２１】
広域における現在位置を検知する位置情報検知手段と、各概要動作フラグ値とそれらに対応した自装置の各機能の設定情報を格納した設定情報格納部とを有する携帯端末装置を、認識信号送信装置から自装置のＩＤに一致する信号を受信しているかどうかと、その受信電波の強度から割り出された距離情報とを受信状況として管理する認識信号受信手段と、
サーバ装置に、現在位置情報を付加して制御エリア情報要求を送信し、サーバ装置から制御エリア情報を受信し、制御エリアの最大値、そのエリアに適用する一つ以上の概要動作フラグ値、各フラグ値に対応したエリア中心からの距離情報とを抽出し、前記概要動作フラグ値に対応する設定情報を設定情報格納部より読み出し、これらを判定テーブル情報として保持する判定内容受信手段と、
前記判定テーブル情報、及び前記認識信号の受信状況を周期的にチェックし、更新や変化を検出すると、前記受信状況を判定テーブル情報の前記最大値、各フラグ値の距離情報と比較し、該当する概要動作フラグ値を判定し、適用中のフラグ値と異なれば判定したフラグ値対応の設定情報を用い自装置の各機能を設定する端末機能制御手段として機能させるためのプログラム。
【請求項２２】
外部の光量をモニタする光センサーと、各概要動作フラグ値とそれらに対応した自装置の各機能の設定情報を格納した設定情報格納部を有する携帯端末装置を、
認識信号送信装置から自装置のＩＤに一致する信号を受信しているかどうかと、その受信電波の強度から割り出された距離情報とを受信状況として管理する認識信号受信手段と、サーバ装置に、光量情報を付加して制御エリア情報要求を送信し、サーバ装置から制御エリア情報を受信し、制御エリアの最大値、そのエリアに適用する一つ以上の概要動作フラグ値、各フラグ値に対応したエリア中心からの距離情報とを抽出し、前記概要動作フラグ値に対応する設定情報を設定情報格納部より読み出し、これらを判定テーブル情報として保持する判定内容受信手段と、
前記判定テーブル情報、及び前記認識信号の受信状況を周期的にチェックし、更新や変化を検出すると、前記受信状況を判定テーブル情報の前記最大値、各フラグ値の距離情報と比較し、該当する概要動作フラグ値を判定し、適用中のフラグ値と異なれば判定したフラグ値対応の設定情報を用い自装置の各機能を設定する端末機能制御手段として機能させるためのプログラム。
【請求項２３】
外部の温度をモニタする温度センサーと、各概要動作フラグ値とそれらに対応した自装置の各機能の設定情報を格納した設定情報格納部を有する携帯端末装置を、
認識信号送信装置から自装置のＩＤに一致する信号を受信しているかどうかと、その受信電波の強度から割り出された距離情報とを受信状況として管理する認識信号受信手段と、
サーバ装置に、温度情報を付加して制御エリア情報要求を送信し、サーバ装置から制御エリア情報を受信し、制御エリアの最大値、そのエリアに適用する一つ以上の概要動作フラグ値、各フラグ値に対応したエリア中心からの距離情報とを抽出し、前記概要動作フラグ値に対応する設定情報を設定情報格納部より読み出し、これらを判定テーブル情報として保持する判定内容受信手段と、
前記判定テーブル情報、及び前記認識信号の受信状況を周期的にチェックし、更新や変化を検出すると、前記受信状況を判定テーブル情報の前記最大値、各フラグ値の距離情報と比較し、該当する概要動作フラグ値を判定し、適用中のフラグ値と異なれば判定したフラグ値対応の設定情報を用い自装置の各機能を設定する端末機能制御手段として機能させるためのプログラム。
【発明の詳細な説明】
【技術分野】
【０００１】
本発明は端末自動設定システム、制御エリア情報発信装置、サーバ装置、携帯端末装置、及びプログラムに関し、特に、認識信号送信装置が送信する認識信号受信状況に応じて端末の動作可とする機能を自動的に設定する端末自動設定システム、制御エリア情報発信装置、サーバ装置、携帯端末装置、及びプログラムに関する。
【背景技術】
【０００２】
近年、携帯電話やノートＰＣなど、個人が容易に持ち運び可能な携帯端末は急速な普及を見せている。
【０００３】
これらの携帯端末はその形状から、一個人が一端末を持つ利用形態が一般的であり、端末ユーザはそれらの端末に自分自身の個人情報を入れて持ち歩くケースが多い。
【０００４】
２装置間の無線通信を用いた端末機器制御システムは、片方を携帯端末に組み込み、もう片方をユーザがウェアラブルなキーやカードとして携帯することにより、携帯端末を利用するユーザがその携帯端末から一定距離離れた際、自動的に使用制限がかかり他のユーザが勝手にその携帯端末を利用することを防ぐ。
【０００５】
具体例としては、特許文献１に、機器の使用制限装置が開示されている。この装置は、識別信号送信ユニットと使用制限の対象機器（携帯電話機等）に一体に設けられる使用制限解除ユニットとから成る。
【０００６】
識別信号送信ユニットからの識別コード信号を使用制限解除ユニットで受信し、その信号に基づいて使用制限の解除信号を対象機器に出力し、識別信号送信ユニットでは送り返される確認コード信号があれば正常状態とし、両ユニットが一定距離以上離れると受信レベルが低下することにより使用制限解除ユニットは解除信号を停止させ、識別信号送信ユニットでは警告を与えるものである。
【０００７】
上記のようなシステムによって、携帯端末の利用環境をより安全なものとすることができる。
【０００８】
ここで上記の様なシステムで実現される携帯端末の利用制限は、２装置間の、ある固定化された一定距離より近いか遠いかで判別される。
【０００９】
【特許文献１】特開平１１-８８４９９号公報（第１頁）
【発明の開示】
【発明が解決しようとする課題】
【００１０】
上記従来のシステムでは判定基準となる距離が固定化されているので、携帯端末の利用シーンによっては自動的にかけられる利用制限が適応しないケースが存在することもあるという課題がある。
【００１１】
例えば、ユーザが帰宅してウェアラブルなキーを肌身から離した状態で携帯端末を使用するといった場合である。
【００１２】
このケースでは、キーから少しでも距離が離れたら利用制限をかけるといった外出時に想定されるような利用シーンとは異なり、ある程度キーとの距離があっても携帯端末の利用制限はかからないことが理想である。
【００１３】
加えて、このような利用制限の切り替えは、ユーザによる利用シーンによって自動的に切り替わることが望ましい。
【００１４】
即ち、手動で切り替える方法では、人為的なミスにより、外出時に「自宅にいるときの設定」になったままになっており利用制限が思うようにかからなかったといった問題が生じる為である。セキュリティの分野では特に、人為的なミスが一番の問題である場合が多い。
【００１５】
本発明の目的は、２装置間の無線通信を用いた端末機器制御機能に、端末の利用状況に応じた制限内容の自動変更機能を加えることによって、ユーザに対してより高い安全性と利便性を持った利用制限が設定される端末自動設定システム、制御エリア情報発信装置、サーバ装置、携帯端末装置、及びプログラムを提供することにある。
【課題を解決するための手段】
【００１６】
本発明の第１の端末自動設定システムは、携帯端末と、これが認識できる信号を無線通信で送信する認識信号送信装置と、前記認識信号の受信状況による機能の制御を行うエリアについて、動作可とする機能を判定するための情報を前記携帯端末に発信する制御エリア情報発信装置とを含み、前記制御エリア情報発信装置は、制御エリアの最大値、そのエリアに適用する一つ以上の概要動作フラグ値、各フラグ値に対応したエリア中心からの距離情報が定義された制御エリア情報の格納部と、これより制御エリア情報を読み出し送信する手段を有し、前記携帯端末は、前記認識信号送信装置から受信する認識信号の受信状況を管理する手段と、各概要動作フラグ値とそれらに対応した携帯端末の各機能の設定情報を格納する設定情報格納部と、前記制御エリア情報発信装置から制御エリア情報を受信し、前記最大値、前記一つ以上の概要動作フラグ値、前記距離情報とを抽出し、概要動作フラグ値に対応する設定情報を設定情報格納部より読み出し、これらを判定テーブル情報として保持する手段と、前記判定テーブル情報の更新、認識信号受信状況の変化の何れかを検出すると、受信状況を判定テーブル情報の前記最大値、各フラグ値の距離情報と比較し、該当する概要動作フラグ値を判定し、これが適用中のフラグ値と異なれば判定したフラグ値対応の設定情報を用い携帯端末の各機能を設定する手段とを有する。
【００１７】
本発明の第２の端末自動設定システムは、携帯端末と、これが認識できる信号を無線通信で送信する認識信号送信装置と、前記認識信号の受信状況による機能の制御を行うエリアについて、動作可とする機能を判定するための情報を無線通信で前記携帯端末に発信する制御エリア情報発信装置とを含み、前記制御エリア情報発信装置は、制御エリアの最大値、そのエリアに適用する一つ以上の概要動作フラグ値、各フラグ値に対応したエリア中心からの距離情報が定義された制御エリア情報の格納部と、これより制御エリア情報を読み出し送信する手段を有し、前記携帯端末は、前記認識信号送信装置から自装置のＩＤに一致する信号を受信しているかどうかと、その受信電波の強度から割り出された距離情報とを受信状況として管理する認識信号受信手段と、各概要動作フラグ値とそれらに対応した携帯端末の各機能の設定情報を格納した設定情報格納部と、前記制御エリア情報発信装置から制御エリア情報を受信し前記最大値、前記一つ以上の概要動作フラグ値、前記距離情報とを抽出し、概要動作フラグ値に対応する設定情報を設定情報格納部より読み出し、これらを判定テーブル情報として保持する判定内容受信手段と、前記判定テーブル情報、及び前記認識信号の受信状況を周期的にチェックし、更新や変化を検出すると、前記受信状況を判定テーブル情報の前記最大値、各フラグ値の距離情報と比較し、該当する概要動作フラグ値を判定し、適用中のフラグ値と異なれば判定したフラグ値対応の設定情報を用い携帯端末の各機能を設定する端末機能制御手段とを有する。
【００１８】
本発明の第３の端末自動設定システムは、携帯端末と、これが認識できる信号を無線通信で送信する認識信号送信装置と、前記認識信号の受信状況による機能の制御を行う制御エリアについて、動作可とする機能を判定するための情報を無線通信で前記携帯端末に発信する制御装置とを含み、前記制御装置は、制御装置識別情報を送信する手段を有し、前記携帯端末は、前記認識信号送信装置から自装置のＩＤに一致する信号を受信しているかどうかと、その受信電波の強度から割り出された距離情報とを受信状況として管理する認識信号受信手段と、制御エリアの最大値と、制御エリアに適用する一つ以上の概要動作フラグ値と各フラグ値の適用条件としてのエリア中心からの距離情報と各フラグ値対応の機能設定情報からなる判定テーブル情報が制御装置識別情報に対応づけられて複数格納された判定テーブル一覧格納部と、前記制御装置から制御装置識別情報を受信し、これに対応づけられた最大値と、判定テーブル情報とを判定テーブル一覧格納部より読み出し、これらをカレント判定テーブル情報として保持する判定内容受信手段と、前記カレント判定テーブル情報、及び前記認識信号の受信状況を周期的にチェックし、更新や変化を検出すると、前記受信状況をカレント判定テーブル情報の前記最大値、各フラグ値の距離情報と比較し、該当する概要動作フラグ値を判定し、適用中のフラグ値と異なれば判定したフラグ値対応の設定情報を用い携帯端末の各機能を設定する端末機能制御手段とを有する。
【００１９】
本発明の第４の端末自動設定システムは、携帯端末と、これが認識できる信号を無線通信で送信する認識信号送信装置と、前記認識信号の受信状況による機能の制御を行うエリアについて、動作可とする機能を判定するための情報を無線ネットワークを含むネットワークを通じ前記携帯端末に送信するサーバ装置とを含み、前記サーバ装置は、制御エリアの最大値、そのエリアに適用する一つ以上の概要動作フラグ値、各フラグ値に対応したエリア中心からの距離情報が定義された制御エリア情報が複数格納された制御エリア情報格納部と、位置情報とこれに対応した、前記格納された制御エリア情報の識別を格納した決定用データ格納部と、前記携帯端末より制御エリア情報要求を受信すると、要求に付加された現在位置情報で決定用データ格納部を参照し、対応の制御エリア情報送信の有無、送信する制御エリア情報を決定し応答する手段を有し、前記携帯端末は、前記認識信号送信装置から自装置のＩＤに一致する信号を受信しているかどうかと、その受信電波の強度から割り出された距離情報とを受信状況として管理する認識信号受信手段と、各概要動作フラグ値とそれらに対応した携帯端末の各機能の設定情報を格納した設定情報格納部と、広域における現在位置を検知する位置情報検知手段と、前記サーバ装置に、現在位置情報を付加して制御エリア情報要求を送信し、サーバ装置から制御エリア情報を受信し、前記最大値、前記一つ以上の概要動作フラグ値、前記距離情報とを抽出し、概要動作フラグ値に対応する設定情報を設定情報格納部より読み出し、これらを判定テーブル情報として保持する判定内容受信手段と、前記判定テーブル情報、及び前記認識信号の受信状況を周期的にチェックし、更新や変化を検出すると、前記受信状況を判定テーブル情報の前記最大値、各フラグ値の距離情報と比較し、該当する概要動作フラグ値を判定し、適用中のフラグ値と異なれば判定したフラグ値対応の設定情報を用い携帯端末の各機能を設定する端末機能制御手段とを有する。
【００２０】
本発明の第５の端末自動設定システムは、携帯端末と、これが認識できる信号を無線通信で送信する認識信号送信装置と、前記認識信号の受信状況による機能の制御を行うエリアについて、動作可とする機能を判定するための情報を無線ネットワークを含むネットワークを通じ前記携帯端末に送信するサーバ装置とを含み、前記サーバ装置は、制御エリアの最大値、そのエリアに適用する一つ以上の概要動作フラグ値、各フラグ値に対応したエリア中心からの距離情報が定義された制御エリア情報が複数格納された制御エリア情報格納部と、前記携帯端末より制御エリア情報要求を受信すると、要求に付加された光量情報に応じて、制御エリア情報送信の有無、送信する制御エリア情報を決定し応答する手段を有し、前記携帯端末は、前記認識信号送信装置から自装置のＩＤに一致する信号を受信しているかどうかと、その受信電波の強度から割り出された距離情報とを受信状況として管理する認識信号受信手段と、各概要動作フラグ値とそれらに対応した携帯端末の各機能の設定情報を格納した設定情報格納部と、外部の光量をモニタする光センサーと、前記サーバ装置に、光量情報を付加して制御エリア情報要求を送信し、サーバ装置から制御エリア情報を受信し、前記最大値、前記一つ以上の概要動作フラグ値、前記距離情報とを抽出し、概要動作フラグ値に対応する設定情報を設定情報格納部より読み出し、これらを判定テーブル情報として保持する判定内容受信手段と、前記判定テーブル情報、及び前記認識信号の受信状況を周期的にチェックし、更新や変化を検出すると、前記受信状況を判定テーブル情報の前記最大値、各フラグ値の距離情報と比較し、該当する概要動作フラグ値を判定し、適用中のフラグ値と異なれば判定したフラグ値対応の設定情報を用い携帯端末の各機能を設定する端末機能制御手段とを有する。
【００２１】
本発明の第６の端末自動設定システムは、携帯端末と、これが認識できる信号を無線通信で送信する認識信号送信装置と、前記認識信号の受信状況による機能の制御を行うエリアについて、動作可とする機能を判定するための情報を無線ネットワークを含むネットワークを通じ前記携帯端末に送信するサーバ装置とを含み、前記サーバ装置は、制御エリアの最大値、そのエリアに適用する一つ以上の概要動作フラグ値、各フラグ値に対応したエリア中心からの距離情報が定義された制御エリア情報が複数格納された制御エリア情報格納部と、前記携帯端末より制御エリア情報要求を受信すると、要求に付加された温度情報に応じて、制御エリア情報送信の有無、送信する制御エリア情報を決定し応答する手段を有し、前記携帯端末は、前記認識信号送信装置から自装置のＩＤに一致する信号を受信しているかどうかと、その受信電波の強度から割り出された距離情報とを受信状況として管理する認識信号受信手段と、各概要動作フラグ値とそれらに対応した携帯端末の各機能の設定情報を格納した設定情報格納部と、外部の温度をモニタする温度センサーと前記サーバ装置に、温度情報を付加して制御エリア情報要求を送信し、サーバ装置から制御エリア情報を受信し、前記最大値、前記一つ以上の概要動作フラグ値、前記距離情報とを抽出し、概要動作フラグ値に対応する設定情報を設定情報格納部より読み出し、これらを判定テーブル情報として保持する判定内容受信手段と、前記判定テーブル情報、及び前記認識信号の受信状況を周期的にチェックし、更新や変化を検出すると、前記受信状況を判定テーブル情報の前記最大値、各フラグ値の距離情報と比較し、該当する概要動作フラグ値を判定し、適用中のフラグ値と異なれば判定したフラグ値対応の設定情報を用い携帯端末の各機能を設定する端末機能制御手段とを有する。
【００２２】
本発明の第７の端末自動設定システムは、前記第１乃至第６の何れかの端末自動設定システムであって、前記設定する各機能に、発信機能、着信機能、着信音機能、着信時バイブレーション機能、着信時自動応答機能を含む電話機能を含む。
【００２３】
本発明の第８の端末自動設定システムは、前記第１乃至第６の何れかの端末自動設定システムであって、前記設定する各機能に、ＰＩＭデータアクセス機能を含む。
【００２４】
本発明の第９の端末自動設定システムは、前記第７の端末自動設定システムであって、前記概要動作フラグの値をＰＥＲＳＯＮＡＬ、ＭＩＤＤＬＥ−ＲＡＮＧＥ、ＣＨＡＲＧＩＮＧ、ＤＲＩＶＩＮＧ、ＨＯＳＰＩＴＡＬ、及び範囲外の内の何れかの値とし、範囲内の制御エリアに適用する一つ以上の概要動作フラグ値を、ＰＥＲＳＯＮＡＬ、ＭＩＤＤＬＥ−ＲＡＮＧＥ、ＣＨＡＲＧＩＮＧ／ＤＲＩＶＩＮＧ／ＨＯＳＰＩＴＡＬの何れかの値とし、エリア内の各距離レベルごとに概要動作フラグ値をＰＥＲＳＯＮＡＬ、ＭＩＤＤＬＥ−ＲＡＮＧＥ、ＣＨＡＲＧＩＮＧとし、フラグ値に応じ着信音機能、着信時バイブレーション機能、着信時自動応答機能を変化させる。
【００２５】
本発明の第１０の端末自動設定システムは、前記第８の端末自動設定システムであって、前記概要動作フラグの値をＰＥＲＳＯＮＡＬ、ＭＩＤＤＬＥ−ＲＡＮＧＥ、ＣＨＡＲＧＩＮＧ、ＤＲＩＶＩＮＧ、ＨＯＳＰＩＴＡＬ、及び範囲外の内の何れかの値とし、範囲内の制御エリアに適用する一つ以上の概要動作フラグ値を、ＰＥＲＳＯＮＡＬ、ＭＩＤＤＬＥ−ＲＡＮＧＥ、ＣＨＡＲＧＩＮＧ／ＤＲＩＶＩＮＧ／ＨＯＳＰＩＴＡＬの何れかの値とし、エリア内の各距離レベルごとに概要動作フラグ値をＰＥＲＳＯＮＡＬ、ＭＩＤＤＬＥ−ＲＡＮＧＥ、ＣＨＡＲＧＩＮＧとし、フラグ値がＰＥＲＳＯＮＡＬ以外であればＰＩＭデータアクセス機能がオフに設定される。
【００２６】
本発明の制御エリア情報発信装置は、制御エリアの最大値、そのエリアに適用する一つ以上の概要動作フラグ値、各フラグ値に対応したエリア中心からの距離情報が定義された制御エリア情報の格納部と、これより制御エリア情報を読み出し送信する手段を有する。
【００２７】
本発明の第１のサーバ装置は、制御エリアの最大値、そのエリアに適用する一つ以上の概要動作フラグ値、各フラグ値に対応したエリア中心からの距離情報が定義された制御エリア情報が複数格納された制御エリア情報格納部と、位置情報とこれに対応した、前記格納された制御エリア情報の識別を格納した決定用データ格納部と、前記携帯端末より制御エリア情報要求を受信すると、要求に付加された現在位置情報で決定用データ格納部を参照し、対応の制御エリア情報送信の有無、送信する制御エリア情報を決定し応答する手段を有する。
【００２８】
本発明の第２のサーバ装置は、制御エリアの最大値、そのエリアに適用する一つ以上の概要動作フラグ値、各フラグ値に対応したエリア中心からの距離情報が定義された制御エリア情報が複数格納された制御エリア情報格納部と、前記携帯端末より制御エリア情報要求を受信すると、要求に付加された光量情報に応じて、制御エリア情報送信の有無、送信する制御エリア情報を決定し応答する手段を有する。
【００２９】
本発明の第３のサーバ装置は、制御エリアの最大値、そのエリアに適用する一つ以上の概要動作フラグ値、各フラグ値に対応したエリア中心からの距離情報が定義された制御エリア情報が複数格納された制御エリア情報格納部と、前記携帯端末より制御エリア情報要求を受信すると、要求に付加された温度情報に応じて、制御エリア情報送信の有無、送信する制御エリア情報を決定し応答する手段を有する。
【００３０】
本発明の第１の携帯端末装置は、認識信号送信装置から自装置のＩＤに一致する信号を受信しているかどうかと、その受信電波の強度から割り出された距離情報とを受信状況として管理する認識信号受信手段と、各概要動作フラグ値とそれらに対応した自装置の各機能の設定情報を格納した設定情報格納部と、制御エリア情報発信装置から制御エリア情報を受信し、制御エリアの最大値、そのエリアに適用する一つ以上の概要動作フラグ値、各フラグ値に対応したエリア中心からの距離情報を抽出し、前記概要動作フラグ値に対応する設定情報を設定情報格納部より読み出し、これらを判定テーブル情報として保持する判定内容受信手段と、前記判定テーブル情報、及び前記認識信号の受信状況を周期的にチェックし、更新や変化を検出すると、前記受信状況を判定テーブル情報の前記最大値、各フラグ値の距離情報と比較し、該当する概要動作フラグ値を判定し、適用中のフラグ値と異なれば判定したフラグ値対応の設定情報を用い自装置の各機能を設定する端末機能制御手段とを有する。
【００３１】
本発明の第２の携帯端末装置は、認識信号送信装置から自装置のＩＤに一致する信号を受信しているかどうかと、その受信電波の強度から割り出された距離情報とを受信状況として管理する認識信号受信手段と、制御エリアの最大値と、制御エリアに適用する一つ以上の概要動作フラグ値と各フラグ値の適用条件としてのエリア中心からの距離情報と各フラグ値対応の機能設定情報からなる判定テーブル情報が制御装置識別情報に対応づけられて複数格納された判定テーブル一覧格納部と、制御装置から制御装置識別情報を受信し、これに対応づけられた、最大値と判定テーブル情報とを判定テーブル一覧格納部より読み出し、これらをカレント判定テーブル情報として保持する判定内容受信手段と、前記カレント判定テーブル情報、及び前記認識信号の受信状況を周期的にチェックし、更新や変化を検出すると、前記受信状況をカレント判定テーブル情報の前記最大値、各フラグ値の距離情報と比較し、該当する概要動作フラグ値を判定し、適用中のフラグ値と異なれば判定したフラグ値対応の設定情報を用い自装置の各機能を設定する端末機能制御手段とを有する。
【００３２】
本発明の第３の携帯端末装置は、認識信号送信装置から自装置のＩＤに一致する信号を受信しているかどうかと、その受信電波の強度から割り出された距離情報とを受信状況として管理する認識信号受信手段と、各概要動作フラグ値とそれらに対応した自装置の各機能の設定情報を格納した設定情報格納部と、広域における現在位置を検知する位置情報検知手段と、サーバ装置に、現在位置情報を付加して制御エリア情報要求を送信し、サーバ装置から制御エリア情報を受信し、制御エリアの最大値、そのエリアに適用する一つ以上の概要動作フラグ値、各フラグ値に対応したエリア中心からの距離情報とを抽出し、前記概要動作フラグ値に対応する設定情報を設定情報格納部より読み出し、これらを判定テーブル情報として保持する判定内容受信手段と、前記判定テーブル情報、及び前記認識信号の受信状況を周期的にチェックし、更新や変化を検出すると、前記受信状況を判定テーブル情報の前記最大値、各フラグ値の距離情報と比較し、該当する概要動作フラグ値を判定し、適用中のフラグ値と異なれば判定したフラグ値対応の設定情報を用い自装置の各機能を設定する端末機能制御手段とを有する。
【００３３】
本発明の第４の携帯端末装置は、認識信号送信装置から自装置のＩＤに一致する信号を受信しているかどうかと、その受信電波の強度から割り出された距離情報とを受信状況として管理する認識信号受信手段と、各概要動作フラグ値とそれらに対応した自装置の各機能の設定情報を格納した設定情報格納部と、外部の光量をモニタする光センサーと、サーバ装置に、光量情報を付加して制御エリア情報要求を送信し、サーバ装置から制御エリア情報を受信し、制御エリアの最大値、そのエリアに適用する一つ以上の概要動作フラグ値、各フラグ値に対応したエリア中心からの距離情報とを抽出し、前記概要動作フラグ値に対応する設定情報を設定情報格納部より読み出し、これらを判定テーブル情報として保持する判定内容受信手段と、前記判定テーブル情報、及び前記認識信号の受信状況を周期的にチェックし、更新や変化を検出すると、前記受信状況を判定テーブル情報の前記最大値、各フラグ値の距離情報と比較し、該当する概要動作フラグ値を判定し、適用中のフラグ値と異なれば判定したフラグ値対応の設定情報を用い自装置の各機能を設定する端末機能制御手段とを有する。
【００３４】
本発明の第５の携帯端末装置は、認識信号送信装置から自装置のＩＤに一致する信号を受信しているかどうかと、その受信電波の強度から割り出された距離情報とを受信状況として管理する認識信号受信手段と、各概要動作フラグ値とそれらに対応した自装置の各機能の設定情報を格納した設定情報格納部と、外部の温度をモニタする温度センサーと、サーバ装置に、温度情報を付加して制御エリア情報要求を送信し、サーバ装置から制御エリア情報を受信し、制御エリアの最大値、そのエリアに適用する一つ以上の概要動作フラグ値、各フラグ値に対応したエリア中心からの距離情報とを抽出し、前記概要動作フラグ値に対応する設定情報を設定情報格納部より読み出し、これらを判定テーブル情報として保持する判定内容受信手段と、前記判定テーブル情報、及び前記認識信号の受信状況を周期的にチェックし、更新や変化を検出すると、前記受信状況を判定テーブル情報の前記最大値、各フラグ値の距離情報と比較し、該当する概要動作フラグ値を判定し、適用中のフラグ値と異なれば判定したフラグ値対応の設定情報を用い自装置の各機能を設定する端末機能制御手段とを有する。
【００３５】
本発明の第１のプログラムは、各概要動作フラグ値とそれらに対応した自装置の各機能の設定情報を格納した設定情報格納部を有する携帯端末装置を、認識信号送信装置から自装置のＩＤに一致する信号を受信しているかどうかと、その受信電波の強度から割り出された距離情報とを受信状況として管理する認識信号受信手段と、制御エリア情報発信装置から制御エリア情報を受信し、制御エリアの最大値、そのエリアに適用する一つ以上の概要動作フラグ値、各フラグ値に対応したエリア中心からの距離情報を抽出し、前記概要動作フラグ値に対応する設定情報を設定情報格納部より読み出し、これらを判定テーブル情報として保持する判定内容受信手段と、前記判定テーブル情報、及び前記認識信号の受信状況を周期的にチェックし、更新や変化を検出すると、前記受信状況を判定テーブル情報の前記最大値、各フラグ値の距離情報と比較し、該当する概要動作フラグ値を判定し、適用中のフラグ値と異なれば判定したフラグ値対応の設定情報を用い自装置の各機能を設定する端末機能制御手段として機能させる。
【００３６】
本発明の第２のプログラムは、制御エリアの最大値と、制御エリアに適用する一つ以上の概要動作フラグ値と各フラグ値の適用条件としてのエリア中心からの距離情報と各フラグ値対応の機能設定情報からなる判定テーブル情報が制御装置識別情報に対応づけられて複数格納された判定テーブル一覧格納部を有する携帯端末装置を、認識信号送信装置から自装置のＩＤに一致する信号を受信しているかどうかと、その受信電波の強度から割り出された距離情報とを受信状況として管理する認識信号受信手段と、制御装置から制御装置識別情報を受信し、これに対応づけられた、最大値と判定テーブル情報とを判定テーブル一覧格納部より読み出し、これらをカレント判定テーブル情報として保持する判定内容受信手段と、前記カレント判定テーブル情報、及び前記認識信号の受信状況を周期的にチェックし、更新や変化を検出すると、前記受信状況をカレント判定テーブル情報の前記最大値、各フラグ値の距離情報と比較し、該当する概要動作フラグ値を判定し、適用中のフラグ値と異なれば判定したフラグ値対応の設定情報を用い自装置の各機能を設定する端末機能制御手段として機能させる。
【００３７】
本発明の第３のプログラムは、広域における現在位置を検知する位置情報検知手段と、各概要動作フラグ値とそれらに対応した自装置の各機能の設定情報を格納した設定情報格納部とを有する携帯端末装置を、認識信号送信装置から自装置のＩＤに一致する信号を受信しているかどうかと、その受信電波の強度から割り出された距離情報とを受信状況として管理する認識信号受信手段と、サーバ装置に、現在位置情報を付加して制御エリア情報要求を送信し、サーバ装置から制御エリア情報を受信し、制御エリアの最大値、そのエリアに適用する一つ以上の概要動作フラグ値、各フラグ値に対応したエリア中心からの距離情報とを抽出し、前記概要動作フラグ値に対応する設定情報を設定情報格納部より読み出し、これらを判定テーブル情報として保持する判定内容受信手段と、前記判定テーブル情報、及び前記認識信号の受信状況を周期的にチェックし、更新や変化を検出すると、前記受信状況を判定テーブル情報の前記最大値、各フラグ値の距離情報と比較し、該当する概要動作フラグ値を判定し、適用中のフラグ値と異なれば判定したフラグ値対応の設定情報を用い自装置の各機能を設定する端末機能制御手段として機能させる。
【００３８】
本発明の第４のプログラムは、外部の光量をモニタする光センサーと、各概要動作フラグ値とそれらに対応した自装置の各機能の設定情報を格納した設定情報格納部を有する携帯端末装置を、認識信号送信装置から自装置のＩＤに一致する信号を受信しているかどうかと、その受信電波の強度から割り出された距離情報とを受信状況として管理する認識信号受信手段と、サーバ装置に、光量情報を付加して制御エリア情報要求を送信し、サーバ装置から制御エリア情報を受信し、制御エリアの最大値、そのエリアに適用する一つ以上の概要動作フラグ値、各フラグ値に対応したエリア中心からの距離情報とを抽出し、前記概要動作フラグ値に対応する設定情報を設定情報格納部より読み出し、これらを判定テーブル情報として保持する判定内容受信手段と、前記判定テーブル情報、及び前記認識信号の受信状況を周期的にチェックし、更新や変化を検出すると、前記受信状況を判定テーブル情報の前記最大値、各フラグ値の距離情報と比較し、該当する概要動作フラグ値を判定し、適用中のフラグ値と異なれば判定したフラグ値対応の設定情報を用い自装置の各機能を設定する端末機能制御手段として機能させる。
【００３９】
本発明の第５のプログラムは、外部の温度をモニタする温度センサーと、各概要動作フラグ値とそれらに対応した自装置の各機能の設定情報を格納した設定情報格納部を有する携帯端末装置を、認識信号送信装置から自装置のＩＤに一致する信号を受信しているかどうかと、その受信電波の強度から割り出された距離情報とを受信状況として管理する認識信号受信手段と、サーバ装置に、温度情報を付加して制御エリア情報要求を送信し、サーバ装置から制御エリア情報を受信し、制御エリアの最大値、そのエリアに適用する一つ以上の概要動作フラグ値、各フラグ値に対応したエリア中心からの距離情報とを抽出し、前記概要動作フラグ値に対応する設定情報を設定情報格納部より読み出し、これらを判定テーブル情報として保持する判定内容受信手段と、前記判定テーブル情報、及び前記認識信号の受信状況を周期的にチェックし、更新や変化を検出すると、前記受信状況を判定テーブル情報の前記最大値、各フラグ値の距離情報と比較し、該当する概要動作フラグ値を判定し、適用中のフラグ値と異なれば判定したフラグ値対応の設定情報を用い自装置の各機能を設定する端末機能制御手段として機能させる。
【発明の効果】
【００４０】
本発明によれば、２装置間の無線通信を用いた端末機器制御システムにおいて、制御エリアを、外部から入力する制御エリア情報によって可変とすることが出来るので、場所、時間帯、利用シーンなどに応じた自由な制御エリアの変更を実現できる効果がある。
【００４１】
また、制御エリア情報に、制御エリア内の各ポイントに応じた設定内容を定義することにより、２装置間の距離や電波強度など、無線信号のやり取りの状況に応じて端末の設定内容を変更することが出来るので、２装置間の無線通信を用いた端末機器制御システムにおける端末機器制御内容の幅を広げる効果がある。
【００４２】
さらに、制御対象端末は、制御エリア情報と認識信号のモニタリングをリアルタイムで行うことにより、無線信号のやり取りの状況に応じた設定内容の変更を自動的に行うことが出来るので、設定のし忘れといった人為的なミスが原因で起こる個人情報漏洩などに代表されるセキュリティ問題の防止や、公共の場で強制的に携帯端末の機能制限をユーザの意思に関係なく、確実に行うことができるといった効果がある。
【発明を実施するための最良の形態】
【００４３】
次に、本発明を実施するための最良の形態について図面を参照して詳細に説明する。
【００４４】
本発明を、カードやウェアラブルなキーに組み込まれていることを想定した認識信号送信ユニット１が発する信号によって、制御対象端末２の機能を制御するシステムに適応した本発明の端末自動設定システムの第１の実施例の全体構成を図１に示す。
【００４５】
図１を参照し、認識信号送信ユニット１は、制御対象端末２が受信可能な無線信号を発する機能を持つ。この無線信号は、制御対象端末２の機能制御管理のために用いられる。
【００４６】
制御対象端末２は、携帯電話、ノートＰＣ、ＰＤＡ等の携帯可能な端末装置であり、ＣＰＵ或いはプロセッサやメモリを備え、プログラム制御で動作する端末装置である。
【００４７】
制御対象端末２は、制御エリア情報発信ユニット３と無線リンクを張るための無線インタフェースを持ち、前記無線インタフェース経由で制御エリア情報４を受け取る機能を持つ。さらに、そこで受け取った制御エリア情報４を元に、認識信号送信ユニット１から発信される信号の受信状況によって機能制御内容を変える機能を持つ。
【００４８】
制御エリア情報発信ユニット３は、制御対象端末２と無線リンクを張るための無線インタフェースを持ち、前記無線インタフェース経由で制御エリア情報４を制御対象端末２に送る機能を持つ。
【００４９】
本実施例では、制御エリア情報４を伝送する無線インタフェースとして無線ＬＡＮを想定する。具体的な伝送方法は、無線ＬＡＮのプロトコル（Ｌ２レイヤ）で扱われるパケットに独自のフォーマットを追加しそこでやり取りする形や、無線ＬＡＮの無線リンクが張られた上でのデータ伝送用プロトコル（Ｌ３／Ｌ４レイヤ）上でやり取りする形を想定する。
【００５０】
制御エリア情報４は、認識信号送信ユニット１から送信されてくる信号の受信状況に応じて制御対象端末２が変更するべき制御内容を示した情報で、前記制御対象端末２と制御エリア情報発信ユニット３間で張られる無線リンク上でやり取りされる。
【００５１】
本実施例では、制御対象端末２の制御内容を記した情報として、制御エリアの最大値と制御対象端末２が位置する制御エリア内のポイントに応じて変更すべき動作内容を示すフラグを想定する。
【００５２】
図２は、認識信号送信ユニット１、制御対象端末２、制御エリア情報発信ユニット３のより詳細な内部構成を示す機能ブロック図である。
【００５３】
認識信号送信ユニット１は、認識信号送信部１１と認識ＩＤ格納部１２を含む。認識信号送信部１１は、制御対象端末２の機能制御を行うための信号を発信する。
【００５４】
制御対象端末２は本信号の受信状況を見て自身の機能制御を行う。
【００５５】
ちなみに発信される信号は、電波強度が測定可能な無線用のプロトコル（無線ＬＡＮなど）を使って伝送されることを想定する。
【００５６】
認識ＩＤ格納部１２は、認識信号送信部１１が発信する信号を、他のユニットが発する信号と区別する為のＩＤを格納する。認識信号送信部１１は、この識別子を元に信号の波形パターンを決定する。
【００５７】
制御対象端末２は、認識信号受信部２１、認識ＩＤ格納部２２、端末機能制御部２３、判定内容受信部２４、端末設定情報格納部２５、端末メイン制御部２６を含む。
【００５８】
認識信号受信部２１は、認識信号送信ユニット１から送信される信号を受信する。受信の際は信号の波形パターンや信号を伝搬する電波強度などがモニタリングできる機能も有する。
【００５９】
また、信号の波形パターンから発信元のユニットを一意に特定する為のＩＤ変換機能も有する。
【００６０】
ここで変換されたＩＤは、認識ＩＤ格納部２２に格納されているＩＤと一致するかどうかの判定が行われる。
【００６１】
認識ＩＤ格納部２２は、認識信号を特定する為のＩＤ情報を格納する。このＩＤを、認識信号送信ユニット１のもつユニット識別用のＩＤと一致させることで、認識信号受信部２１は、認識信号送信ユニット１からの信号が自身に向けられたものと認識する。
【００６２】
端末機能制御部２３は、認識信号受信部２１より信号の受信状況に関する情報（以下、認識信号情報）を受け取り、その情報から分かる信号の受信状況を元に、端末メイン制御部２６が持つ制御対象端末２の直接の動作に関わる機能のうちどれを有効にし、どれを無効にするといった設定内容を決定する。
【００６３】
この設定内容を決定する際は、判定内容受信部２４から受け取る、受信状況に応じて選択すべき設定内容を記述したテーブル情報（以下、判定テーブル情報）と、端末設定情報格納部２５から取り出す、端末メイン制御部２６が持つ実際の端末機能の制限内容が記述されたテーブル情報（以下、設定テーブル情報）を用いる。
【００６４】
判定内容受信部２４は、制御エリア情報発信ユニット３と無線リンクを張り制御エリア情報４を受信する機能を持つ。また、受信した制御エリア情報４から判定テーブル情報を抽出し端末機能制御部２３に渡す機能を持つ。
【００６５】
制御エリア情報発信ユニット３と張る無線リンクは、既存の無線通信プロトコル（無線ＬＡＮ、Ｂｌｕｅｔｏｏｔｈ等）を用いる。
【００６６】
より詳細な説明を後ほど図３を参照して行う。
【００６７】
端末設定情報格納部２５は、設定テーブル情報を格納し、設定テーブル情報には端末メイン制御部２６が持つ具体的な端末機能と、それぞれの機能ごとが取りうる設定内容が記述されている。
【００６８】
端末メイン制御部２６は、制御対象端末２が端末ユーザに提供する主な機能を実装したものである。
【００６９】
例えば、端末を携帯電話に例えると、通話機能、音量設定機能、バイブレーション機能、ＷＥＢ閲覧機能、ＰＩＭ（Ｐｅｒｓｏｎａｌ−Ｉｎｆｏｍａｔｉｏｎ−Ｍａｎａｇｅｒ）データ管理機能などがそれにあたる。
【００７０】
ＰＩＭデータとは、電話帳、スケジュール表等の個人的な情報管理ツールのデータである。
【００７１】
制御エリア情報発信ユニット３は、プログラム制御で動作し、判定内容送信部３１、判定情報格納部３２を備える。判定内容送信部３１は、制御エリア情報４を生成し制御対象端末２に送信する機能を持つ。
【００７２】
制御エリア情報４を送信する際には、制御対象端末２と無線リンクを張りその上で送信する。無線リンクは既存の無線通信プロトコル（無線ＬＡＮ、Ｂｌｕｅｔｏｏｔｈ等）を用いる。
【００７３】
制御エリア情報４の生成は、判定情報格納部３２に格納された、制御エリア情報発信ユニット３に割り当てられたＩＤや制御エリア（認識信号送信ユニット１を中心とし、これからの認識信号受信状況による制御を行うエリア）の最大値、制御エリア内の各ポイント（中心からの距離）に応じた動作内容に関する情報（以下、概要動作フラグ値）を用いる。
【００７４】
判定情報格納部３２は、制御エリア情報発信ユニット３に割り当てられたＩＤや制御エリアの最大値、概要動作フラグ値を格納する。
【００７５】
図１では制御エリア情報発信ユニット３を複数示していないが、端末利用者の自宅、職場、各種の施設等に設けられ、それぞれの設置場所に応じた制御エリア情報を発信する。
【００７６】
例えば、自宅の制御エリア情報発信ユニット３は、職場、各種の施設等のそれらに較べて、”ＰＥＲＳＯＮＡＬ”相当の概要動作とするエリア内ポイントは大きくする。
【００７７】
また、各場所に置かれた制御エリア情報発信ユニット３が昼間／夜間等の時間帯で発信する制御エリア情報を切り替える例もある。
【００７８】
図３は、判定内容受信部２４のより詳細な内部構成を示す機能ブロック図である。判定内容受信部２４は、ネットワークインタフェース部２４１、判定テーブル生成部２４２、制御内容識別子格納部２４３を含む。
【００７９】
ネットワークインタフェース部２４１は、制御エリア情報発信ユニット３と無線リンクを張る機能を持つ。また前記無線リンク経由で転送されたデータを判定テーブル生成部２４２に受け渡す機能も持つ。
【００８０】
具体的な一例として、ネットワークインタフェース部２４１は無線ＬＡＮインタフェースが想定される。
【００８１】
判定テーブル生成部２４２は、ネットワークインタフェース部２４１から受け渡されたデータから、制御エリア情報４に関わるデータを抽出する。
【００８２】
また、抽出した制御エリア情報４に含まれている概要動作フラグ値を元に、そのフラグ値に応じた設定テーブルの各項目に相当するＩＤ情報を制御内容識別子格納部２４３より取り出し、先に抽出した制御エリア情報４と組み合わせて判定テーブル情報を生成し端末機能制御部２３に渡す機能を持つ。
【００８３】
制御内容識別子格納部２４３には、端末設定情報格納部２５が持つ設定テーブルの各項目ごとに割り振られたＩＤ（以下、設定ＩＤ）と概要動作フラグ値が関連付けされたテーブル情報（以下、概要動作フラグ値−設定ＩＤ対応テーブル）が格納されている。
【００８４】
この設定ＩＤは、テーブルのそれぞれの項目に記述されている、端末機能とその設定内容のセットをひとまとめにし、端末機能制御部２３がそのセットを指定するために用いられる。
【００８５】
次に、本実施例の機能実現時に扱われるデータについて説明する。
【００８６】
図４は、制御エリア情報４についての詳細を説明するものである。制御エリア情報発信ユニット３のＩＤは、制御対象端末２が制御エリア情報発信ユニット３を特定するために用いる。
【００８７】
制御エリアの最大値は、認識信号送信ユニット１を中心として展開される制御エリアの最大値（半径等）を示す。
【００８８】
概要動作フラグ値テーブルは、制御エリア内のポイント（認識信号送信ユニット１を中心としたこれからの距離）に応じて制御対象端末２が取るべき機能動作を記述するもので、制御エリア内ポイントとそれに対応する概要動作フラグ値によって構成される。
【００８９】
制御エリア内ポイントは、制御エリアの最大値を”１００”とした際の割合で表現される。ここで示される値が小さければ小さいほど、認識信号送信ユニット１に近いことを表す。
【００９０】
また、本テーブルに示される値は、関連する概要動作フラグ値が選択され得る最大値を示す。即ち、図４を例にすると、１０／１００に対応した実際の値は、０／１００〜１０／１００の間、５０／１００に対応する実際の値は、１０／１００〜５０／１００の間、である。
【００９１】
概要動作フラグ値は、制御エリア内ポイントで示された範囲以内のエリアで取るべき制御対象端末２の動作（もしくは状態）を概念的に値で示すものである。
【００９２】
例えば、”ＰＥＲＳＯＮＡＬ”は制御対象端末２がユーザによって身近に所持されていることを示し、”ＣＨＡＲＧＩＮＧ”は制御対象端末２が充電中でユーザの手元から離れた場所で充電台に置かれていることを示す。
【００９３】
このような概念的な表現にすることにより、制御対象端末２の持つ機能は制限されず、本システムが任意の携帯端末に適応できる仕組みになっている。
【００９４】
図５は、概要動作フラグ値−設定ＩＤ対応テーブルについての詳細を説明するものである。
【００９５】
本テーブルでは、概要動作フラグ値に応じて制御対象端末２が取るべき設定ＩＤが、制御対象端末２が持つ機能ごとに対応づけられている。
【００９６】
概要動作フラグの、”ＤＲＩＶＩＮＧ”と言う値は、車載の制御エリア情報発信ユニット３が、車両の駆動開始動作を検出すると、駆動終了動作や駐車動作を検出するまで制御エリア情報の単独の概要動作フラグ値として発信するのでこれに対応したものである。
【００９７】
概要動作フラグの、”ＨＯＳＰＩＴＡＬ”と言う値は、静粛が要求される病院等の施設や場所に設置された制御エリア情報発信ユニット３が制御エリア情報の単独の概要動作フラグ値として発信するのでこれに対応したものである。
【００９８】
これらの制御エリア情報では、エリア最大値は指定されるが、エリア内ポイント情報は含まない。
【００９９】
本テーブルは、製造段階で、或いはサービスセンターからのダウンロードにより、予め制御内容識別子格納部２４３に格納されている。
【０１００】
図６は、判定テーブル情報についての詳細を説明するものである。
【０１０１】
本テーブルは、前記の概要動作フラグ値テーブルと前記の概要動作フラグ値−設定ＩＤ対応テーブルのそれぞれが持つ概要動作フラグ値をキーとして、判定内容受信部２４によって生成される。
【０１０２】
図７は、設定テーブル情報についての詳細を説明するものである。
【０１０３】
本テーブルは、制御対象端末２が持つ機能ごとに用意され、設定ＩＤに対する具体的な動作内容を記述するものである。
【０１０４】
ここで、図６、図７を用いて、認識信号送信ユニット１との距離によって制御対象端末２の電話機能の設定内容が変化する様子を一例として示す。
【０１０５】
図６、図７によれば、制御エリア内ポイントが０／１００〜１０／１００までの、認識信号送信ユニット１と制御対象端末２がお互い近距離にある場合、電話機能に関する設定ＩＤは１０−０１の値をとる。
【０１０６】
設定ＩＤ：１０−０１に相当する具体的な電話の機能設定は、発着信は自由にＯＫ、バイブレーション機能はＯＮ、さらに着信音量は「小」である。
【０１０７】
また、制御エリア内ポイントが１０／１００〜５０／１００までの、認識信号送信ユニット１と制御対象端末２との距離が多少離れている場合、電話機能に関する設定ＩＤは１０−０２の値をとる。
【０１０８】
設定ＩＤ：１０−０２に相当する具体的な電話の機能設定は、発着信は着信のみに限定、バイブレーション機能はＯＦＦ、そして着信音量は「大」である。
【０１０９】
さらに、制御エリア内ポイントが５０／１００〜１００／１００までの、認識信号送信ユニット１と制御対象端末２との距離が大きく離れている場合、電話機能に関する設定ＩＤは１０−０３の値をとる。
【０１１０】
設定ＩＤ：１０−０３に相当する具体的な電話の機能設定は、留守録応答モード（着信音量なし、バイブレーション機能ＯＦＦ）である。
【０１１１】
最後に、制御エリア内ポイントが”ＯＵＴ  ＯＦ  ＲＡＮＧＥ”であるということは、制御対象端末２が認識信号送信ユニット１の制御エリア外にあることを意味する。
【０１１２】
この時、設定ＩＤは１０−０４の値を取り、電話機能は完全に使えなくなる。
【０１１３】
以上のように、判定テーブル情報、設定テーブル情報を用いて、制御エリア内の各ポイントにて適切とされる電話機能の設定内容を、認識信号送信ユニット１と制御対象端末２の距離関係に応じて自動的に変更することができる。
【０１１４】
次に、本発明を実施するための最良の形態の動作について図面を参照して説明する。
【０１１５】
図８は、本実施例における制御対象端末２の一連の動作を示したフローチャート図である。
【０１１６】
本フローチャートは、制御対象端末２が制御エリア情報発信ユニット３との無線リンクを形成するところ（ステップ１）から始まる。
【０１１７】
ネットワークインタフェース部２４１を用いて制御エリア情報発信ユニット３との無線リンクを形成した制御対象端末２は、制御エリア情報発信ユニット３から送られてくる制御エリア情報４を受け取り（ステップ２）、判定内容受信部にて前記制御エリア情報４を元に判定テーブル情報を生成する（ステップ３）。
【０１１８】
判定テーブル情報を生成したら、次に制御対象端末２は、認識信号送信ユニット１より送られてくる認識信号の受信状況を認識信号受信部２１にて確認する（ステップ４）。
【０１１９】
この時、認識信号は認識信号送信ユニット１より任意のタイミングで送られてくるものとする。
【０１２０】
また、認識信号受信部２１は、受信した認識信号が自身の機器に向けて発信されたのかどうかを、認識信号から抽出したＩＤと認識ＩＤ格納部２２に格納されているＩＤとを照合させて確認する。
【０１２１】
もしも照合の結果、自身に向けられた認識信号でないと分かった場合、受信した認識信号は無視され、認識信号受信部２１が持つ認識信号受信状況に関する情報には反映しない。
【０１２２】
その後、制御対象端末２は、認識信号の受信状況に応じて端末の設定内容を変更する処理に入る。
【０１２３】
まず最初に、判定内容受信部２４が持つ判定テーブル情報が更新されているかを確認する（ステップ５）。
【０１２４】
もしも、判定テーブル情報が以前より更新されていた場合（ステップ５：Ｙｅｓ）、制御対象端末２は端末機能制御部２３にて認識信号の受信状況に応じた設定内容を決定する処理に入る（ステップ７）。
【０１２５】
一方、もしも判定テーブル情報が更新されていなかった場合（ステップ５：Ｎｏ）、制御対象端末２は、端末機能制御部２３にて認識信号の受信状況が変化していないかを判定する処理に入る（ステップ６）。
【０１２６】
ステップ６における、受信状況の変化判定は、制御エリア情報４に含まれる制御エリアの最大値と認識信号受信部２１が得た実際の信号受信状況より割り出した制御エリア内ポイントを、概要動作フラグ値テーブルと照らし合わせることによって行う。
【０１２７】
図４を例として用いると、制御エリア内ポイントが４０／１００より７０／１００に変わった場合、選択すべき概要動作フラグ値が”ＭＩＤＤＬＥ＿ＲＡＮＧＥ”から”ＣＨＡＲＧＩＮＧ”に変わっており、この場合は受信状況が変化したとみなす。
【０１２８】
一方、制御エリア内ポイントが４０／１００より２０／１００に変わった場合、選択すべき概要動作フラグ値は”ＭＩＤＤＬＥ＿ＲＡＮＧＥ”のまま変わらないので、この場合は受信状況は変化していないとみなす。
【０１２９】
もしもステップ６にて、認識信号の受信状況が変化したとみなされた場合（ステップ６：Ｙｅｓ）、制御対象端末２はステップ５：Ｙｅｓのケースと同様に受信状況に応じた具体的設定内容を決定する処理に入る（ステップ７）。
【０１３０】
具体的な設定内容の決定は、端末機能制御部２３が判定テーブル情報を用いて行う。
【０１３１】
先に割り出した制御エリア内ポイントを元に認識ＩＤを決定し、そのＩＤを元にして端末設定情報格納部２５より取り出した設定テーブル情報より具体的な設定内容を決定する。
【０１３２】
ステップ７にて具体的な設定内容が決まった後、制御対象端末２は端末機能制御部２３で決定した具体的設定内容を端末メイン制御部２６に適用することによって、自身の動作を決める（ステップ８）。
【０１３３】
ちなみにステップ６にて、認識信号の受信状況が変化していないとみなされた場合（ステップ６：Ｎｏ）、前記に記された受信状況に応じた設定内容変更の一連の処理（ステップ７〜８）は行わない。
【０１３４】
前記のように認識信号の受信状況より端末機能の変更を行うための一連の処理を行なった後、制御対象端末２は、制御エリア情報発信ユニット３との無線リンクの状況を確認する動作に入る（ステップ９）。
【０１３５】
もしも、前記無線リンクの状態が特に変化していない場合、制御対象端末２は認識信号の受信状況を確認する処理（ステップ４）に移る。
【０１３６】
一方、前記無線リンクの状態が変化していた場合、無線リンクの再接続を行うステップに移行する（ステップ１）。
【０１３７】
このように、制御エリア情報発信ユニット３との無線リンクの状況や、認識信号送信ユニット１から送られてくる認識信号を周期的に確認することにより、それぞれの状況の変化に応じた設定内容の変化をリアルタイムに行うことを実現させる。
【０１３８】
次に本発明の第２の実施例について説明する。本実施例では、制御エリア情報４に制御エリア情報発信ユニット３のＩＤのみを含むようにして、実際の設定内容に関する情報は制御対象端末２が保持する様にする。
【０１３９】
即ち、制御エリア情報発信ユニット３に代わり、ユニットＩＤ等の識別情報を発信する制御装置を備える。
【０１４０】
制御エリア情報４に含まれる情報は、制御装置のＩＤのみとなり、制御対象端末２の内部に、判定テーブルを前記ＩＤに対応づけて複数個持つ。
【０１４１】
即ち、判定テーブル一覧格納部に、制御エリアの最大値と、制御エリアに適用する一つ以上の概要動作フラグ値と各フラグ値の適用条件としてのエリア中心からの距離情報と各フラグ値対応の機能設定情報からなる判定テーブル情報とが制御装置ＩＤに対応づけられて複数格納されている。
【０１４２】
判定内容受信部２４は、制御装置から制御装置ＩＤを受信し、これに対応づけられた最大値と、判定テーブル情報とを判定テーブル一覧格納部より読み出し、これらをカレント判定テーブルとして保持する。
【０１４３】
端末機能制御部２３は、前記カレント判定テーブル、及び前記認識信号の受信状況を周期的にチェックし、更新や変化を検出すると、前記受信状況をカレント判定テーブルの最大値、各フラグ値の距離情報と比較し、該当する概要動作フラグ値を判定し、適用中のフラグ値と異なれば判定したフラグ値対応の設定情報を用い自装置の各機能を設定する。
【０１４４】
制御装置は端末利用者の自宅、職場、各種の施設等に設けられた装置としてもよく、また自宅、職場、各種の施設のそれぞれの最寄り基地局に置かれた装置で周期的に識別情報を発信ないし送信する装置（ビーコン電波を発信する装置等）であってもよい。
【０１４５】
次に本発明の第３の実施例について説明する。本実施例では、制御エリア情報発信ユニット３として、ネットワーク上、或いは無線ＬＡＮ上のサーバ装置を備え、制御対象端末２との通信リンクを下位層に依存させた構成とする。
【０１４６】
即ち、図９に示す様に制御対象端末２Ａは、基地局を含む無線ネットワーク１０１とインターネット１００を通じサーバ装置３Ａと通信するか、或いは無線ＬＡＮ通信により無線ＬＡＮ上のサーバ装置３Ａと通信する。
【０１４７】
この場合、制御対象端末２Ａとサーバ装置３Ａとの間の制御エリア情報４は、通信リンクが張られた上での特定のプロトコル（主にプレゼンスプロトコル）を用いてやり取りされる。
【０１４８】
図１０に示す様に、制御対象端末２Ａは、パラメータ生成部２８を持つ。ちなみにパラメータ生成部２８の具体的な実装形態は、（１）ＧＰＳ、（２）温度センサー、（３）光感知センサー等とする。
【０１４９】
図１１に示す様に、判定内容受信部２４Ａは、特定のパラメータを付加した形で制御エリア情報４を取得する為のリクエストを、例えばネットワークインタフェース部２４１を介してサーバ装置３Ａに送信する制御エリア情報要求部２７を持ち、これが、パラメータ生成部２８から受け渡された特定パラメータをリクエストに付加して送信する。
【０１５０】
この場合の特定パラメータはそれぞれ（１）位置情報、（２）温度情報、（３）光量情報等とする。
【０１５１】
制御エリア情報要求部２７はサーバ装置３Ａの通信アドレス（ＵＲＬ等）を保持している。
或いはその通信アドレス格納部のアドレスを保持している。
【０１５２】
サーバ装置３Ａは、ＣＰＵ、メモリ、外部記憶装置を備え、プログラム制御で動作する装置である。
【０１５３】
図１２に示す様に、サーバ装置３Ａは、前記取得の為のリクエストを受信し、そのリクエスト内に含まれているパラメータを見て、制御エリア情報４を渡すか否かと、渡す場合にどのような制御エリア情報４を渡すかを決定する、制御エリア情報決定部３４も備える。
【０１５４】
通信部３３は、インターネット１００を通じた通信を行う。判定情報格納部３２Ａには、複数の制御エリア情報が格納されている。
【０１５５】
決定用データ格納部３５は、主にパラメータ生成部２８がＧＰＳの場合に設けられ、各ユーザの自宅／職場／ユーザ固有の外出先等の位置情報（経度及び緯度等）と、対応する制御エリア情報の識別が格納されている。
【０１５６】
また、不特定多数のユーザにとって静粛性が要求される公共の施設や場所の位置情報と対応する制御エリア情報の識別が格納されている。
【０１５７】
制御エリア情報決定部３４は、送信元アドレス或いはユーザ識別で決定用データ格納部３５にアクセスし、位置情報が登録されてなければ共通の決定用データにアクセスする。
【０１５８】
位置情報が登録されていればその識別の制御エリア情報を判定情報格納部３２Ａから読み出し応答情報として送信する。
【産業上の利用可能性】
【０１５９】
本発明は、携帯電話、ノートＰＣ、ＰＤＡ等の個人が携帯して持ち歩き可能な機器を制御対象とし、認識信号送信ユニットとして、ウェアラブルなキーや、社員証などの個人ＩＤ情報が入ったカード等を想定した機器制御システムに適用できる。
【図面の簡単な説明】
【０１６０】
【図１】本発明の端末自動設定システムの第１の実施例の全体構成図。
【図２】図１の、認識信号送信ユニット１、制御対象端末２、制御エリア情報発信ユニット３の詳細構成を示すブロック図。
【図３】図２の判定内容受信部２４の詳細な構成を示す図。
【図４】制御エリア情報４の内容例を示す図。
【図５】概要動作フラグ値−設定ＩＤ対応テーブルの詳細を示す図。
【図６】判定テーブル情報の例を示す図。
【図７】設定テーブル情報の詳細を示す図。
【図８】本発明の第１の実施例における制御対象端末２の一連の動作を示したフローチャート。
【図９】本発明の端末自動設定システムの第３の実施例の全体構成図。
【図１０】図９の制御対象端末２Ａの詳細構成を示すブロック図。
【図１１】図１０の判定内容受信部２４Ａの詳細構成を示すブロック図。
【図１２】図９のサーバ装置３Ａの詳細構成を示すブロック図。
【符号の説明】
【０１６１】
１    認識信号送信ユニット
１１    認識信号送信部
１２    認識ＩＤ格納部
２、２Ａ    制御対象端末
２１    認識信号受信部
２２    認識ＩＤ格納部
２３    端末機能制御部
２４、２４Ａ    判定内容受信部
２４１    ネットワークインタフェース部
２４２    判定テーブル生成部
２４３    制御内容識別子格納部
２５    端末設定情報格納部
２６    端末メイン制御部
２７    制御エリア情報要求部
２８    パラメータ生成部
３    制御エリア情報発信ユニット
３Ａ    サーバ装置
３１    判定内容送信部
３２、３２Ａ    判定情報格納部
３３    通信部
３４    制御エリア情報決定部
３５    決定用データ格納部
１００    インターネット
１０１    無線ネットワーク
【図１】
0004506603.tif 000002
【図２】
0004506603.tif 000003
【図３】
0004506603.tif 000004
【図４】
0004506603.tif 000005
【図５】
0004506603.tif 000006
【図６】
0004506603.tif 000007
【図７】
0004506603.tif 000008
【図８】
0004506603.tif 000009
【図９】
0004506603.tif 000010
【図１０】
0004506603.tif 000011
【図１１】
0004506603.tif 000012
【図１２】
0004506603.tif 000013